(57)【要約】  自家骨移植法で移植材料である骨を採取するために吸引ラインに設置された骨片採取装置内のフィルター２表面に付着する採取切削骨片による吸引作業効率の低下を防止するために、フィルター２表面に適度な圧力で緊密に接する翼４を設け、この翼４を手指圧またはモーター駆動力で前記フィルター２表面に圧接回転し、採取切削骨片を一定方向に移動させることによって、フィルター２の目詰まりを取り去り、随時吸引効率を回復することを可能とした骨片採取装置を提供する。【特許請求の範囲】
【請求項１】
生体の骨切削時に生じる骨片を含む冷却液、唾液、血液等の液状物を吸引する吸引管路に設けられて、その液状物から前記骨片をフィルターによって分離濾過して採取する骨片採取装置であって、前記フィルター内側壁に接するように回転自在の翼を設け、使用時に前記翼を回転させることによって、フィルター表面に付着したろ過物を任意の方向に圧接移動させ、フィルターの目詰まりを回復することによって随時吸引作業効率の回復を可能としたことを特徴とする骨片採取装置。
【請求項２】
請求項１に加えて、請求項１に記載の翼を本体に固定したマイクロモーターを使用して回転させることによって、フィルター表面に付着したろ過物を任意の方向に圧接移動させ、フィルターの目詰まりを回復することによって常時あるいは随時吸引作業効率の回復を可能としたことを特徴とする吸引作業効率を高めた自家骨採取装置。
【請求項３】
請求項１に記載のフィルター内壁に接するように設置された翼を回転させることによってフィルター内に採取した骨をフィルター内の任意の場所に集積すること特徴とする吸引効率を高めた自家骨採取装置。
【請求項４】
請求項１に記載の自家骨採取装置本体全体的にあるいは部分的に、フィルター内壁に接するように設置された翼の回転を妨げることがないようにシュリンクフィルムでカバーすることによって接合部分からのエアーリークを防止するとともに、本体の一部に意図的に通風孔を設け、前記通風孔をシュリンクフィルムでカバーしたことを特徴とする吸引効率を高めた自家骨採取装置。
【発明の詳細な説明】
【技術分野】
【０００１】
本発明は医科手術における骨切削時に生じる骨片や、非移植側から選択的に移植骨を採取する自家骨採取装置に関する。
【背景技術】
【０００２】
従来、医科手術において、開頭手術時に切削器具により発生する自家骨片を同部に戻す場合や、先天奇形や外傷による骨欠損部に自家骨移植を行う場合、あるいは歯科インプラント手術においては、インプラント窩が顎骨内に穿設されるとき発生する切削骨片を、インプラント体周囲の骨量が不足している部分に補填する場合に、タービンから噴出する冷却水や、唾液、血液及び骨の切削によって生ずる骨片等をバキュウム装置の吸引チップにフィルター等を用いて骨のみを選択的に採取し、生体に戻すという自家骨移植法が用いられてきた。しかしながら前述のような器具を用いて長時間にわたり大量の骨片を採取する場合、フィルター表面に吸引物が積層し、フィルターの目を閉鎖してしまうために吸引作業効率の低下、あるいは逆流を招いた。当然のことながらフィルターの網目を大きくすれば、吸引作業効率を向上することが可能となるが、小さな骨片はバキューム経路を通じて吸引流出してしまうため採取量の低下を招き貴重な移植骨片を廃棄することになる。また、従来のものではフィルター壁に堆積した採取骨をかき集めて移植していた。加えてこれらの外科器具が残留蛋白の問題から可及的に反復使用を避けるべきものであるが、滅菌消毒の上再使用するケースもまま見受けられた。
【特許文献１】日本国特許第３５８５１２５号
【発明の開示】
【発明が解決しようとする課題】
【０００３】
しかしながら、前述の如く、自家移植を行う場合、外科的な侵襲を最小限に収めるために生体の限られた範囲から最大限の移植材を得ることが理想とされるので、液体以外の固形物を濾過する装置としての役割を果たすフィルターの目は可及的に細かいものが相応しいが、細かいフィルターは容易に目詰まりを起こし吸引作業効率の低下を招くことになるため、頻繁にフィルターの交換あるいは清掃することを余儀なくされスピーディーな手術の妨げとなっていた。  
本発明は、斯かる実情に鑑み、移植材料として使用可能である最小体積の骨片までも採取するために、可及的に目の細かいフィルターを利用して骨片採取を行う場合、手術途中にフィルターの交換や清掃作業を行なうことなく、目標採取量に到達するまで効率的に骨片を吸引採取可能とするとともに、フィルター壁に堆積した採取骨を任意の場所に集積することによって採集自家骨による移植操作効率を高め、物理的な手立てによって可及的に反復使用を不可能とせしめた吸引作業効率を高めた自家骨採取装置を提供しようとするものである。
【課題を解決するための手段】
【０００４】
本発明における第一の発明は、口腔内から骨片を含む冷却液、唾液、血液等の液状物を吸引する吸引管路を通過する液状物から骨片を分離の為に濾過して採取する骨片採取装置の吸引ノズルに接続されるか、または直接吸引ノズルとして前記骨片及び液状物を吸引する通路となる吸引ノズル側と、前記吸引管路の端部に着脱可能に接続される前記基端側部分からなるユニット本体と、そのユニット本体の前記分割部分に前記吸引ノズル側部分と基端側部分とにまたがって吸引側に対しては回転自在にまた前記基端側に対しては、回転が防止されるように着脱可能に配置されフィルター内周壁に接するように、本体吸引側に固定された本体長軸方向に対して螺旋形の翼を持つ吸引作業効率を高めた自家骨採取装置にかかるものである。
上記手段によれば、以下のような作用が得られる。すなわち可及的に目の細かいフィルターを使用して自家骨採取を行う場合にバキューム装置の吸引能力にかかわらず本体内を通過する冷却液、唾液、血液および骨のなどの中で濾過された骨がフィルター表面に残留しフィルターの目を閉塞し吸引効率が低下した場合に、一方の手によってフィルターが回転防止機構によって固定された基端側部分を保持し、他方の手で螺旋形の回転翼が固定された吸引ノズル側部分を一定方向に回転させることによって回転翼のフィルター表面と接する翼端が堆積した固形物である骨を掻き取りフィルター底面に収集することを可能とした吸引作業効率の回復を可能とした自家骨採取装置である。
第二の発明は、第一の発明に記載の回転翼を吸引ノズル側に対して回転自在としこの回転翼をマイクロモーターの駆動力を利用して回転させ給油する作業中常時あるいは随時に一定方向に回転せしめ採取骨をフィルター底面に集積採取する吸引作業効率の回復を可能とした自家骨採取装置である。
第３の発明は、フィルター内壁に接するように設置された翼の任意の箇所に空隙と、前記翼を回転させた際にその空隙に採取して骨が誘導されるような角度与えることによって、自家骨採取後に翼を回転させることによって、フィルター内に採取した骨をフィルター内の任意の場所に集積することを可能とした吸引効率を高めた自家骨採取装置である。
第４の発明は、自家骨採取装置本体全体的にあるいは本体接合部分を部分的に、フィルター内の翼回転機構を妨げることがないようにシュリンクフィルムでカバーすることによって接合部分からのエアーリークを防止し、吸引効率を高めるとともに、本体の一部に意図的に通風孔を設け、前記通風孔をシュリンクフィルムでカバーすることによって、自家骨採取後にシュリンクフィルムを破棄して本体を分解し、自家骨を採取したフィルターを取り出した後は、使用前のように組み立て直したとしても、前記通風孔からのエアーリークによって本来の機能を果たさず反復使用を防止した自家骨採取装置である。
【発明の効果】
【０００５】
吸引管路の経路上に吸引器の圧力が漏れることがないように装着された本発明の自家骨採取装置本体を利用して自家骨採取作業中に、吸引した骨がフィルターの網目につまり吸引作業効率が低下した状態のフィルター断面を観察すると、フィルター吸引側内面上には、フィルターの目よりも大きな採取骨が層状に堆積しフィルターの目と同程度の大きさの骨はフィルターの目に緊密につまる状態が観察され、いわゆるフィルターの目詰まりを起こしている。そのような状況に陥った場合、従来は、本体を分解して、新しいフィルター自体の交換作業を行うか、フィルター表面に堆積した貴重な採取骨を汚染されることがないように慎重に他の容器に移しかえると言うような作業を強いられた。しかしながら、本発明の第一の発明の吸引作業効率を高めた自家骨採取装置によれば、本発明の吸引作業効率を高めた自家骨採取装置では、本体を分解してフィルター交換作業や堆積した採取骨の移しかえを行うことなく本体基端側部を保持し本体吸引側を回転させることによって本体吸引ノズル側部内部に設置されるとともに適度な圧力でフィルター表面に接する翼が回転し、翼フィルター接触面がフィルター表面に付着した細かな骨片をぬぐいとりながら圧縮した骨をフィルター基底部に移動させることによって、採取骨がぬぐい去ることが可能となる。
また、第二の発明によれば第一の発明に記載のフィルター内周壁に接するように配置された翼がマイクロモーターなどの駆動力を利用して本体内で翼を一定方向に常時あるいは随時に回転させることが出来るので、フィルター表面に採取骨が堆積して吸引効率が低下した場合、骨片採取装置自体を持ち変えること無く随時にフィルター表面に堆積した骨片をフィルター底部に移動することによって除去し、フィルターの目詰まりを防止することが可能となり、連続的に前記翼をモーターの駆動力によって回転しておけばフィルターを常に目詰まりの無い状態に保つことが可能となる。このようにしてフィルターの目詰まりは解消されることになるが、さらに第３の発明によれば、フィルター内壁に接するように設置した翼を回転することによって集められた骨は翼のフィルター内壁との接触角度によって一定方向に集められ、さらにフィルターと翼の間に設けられた任意の箇所に空隙に堆積することになり自家骨採取後に骨の取り出しが非常に容易となる。
また、第４の発明によれば、自家骨採取装置本体の一部に意図的に通風孔を設け、前記本体内のフィルター翼回転機構を妨げることがないように全体的にあるいは本体接合部分を部分的に、はシュリンクフィルムでカバーすることによって本体はより完全に密封されるので、接合部分からのエアーリークがまったくなくなり吸引効力が向上するとともに、自家骨採取後にシュリンクフィルムを破棄して本体を分解し、自家骨を採取したフィルターを取り出した後は、使用前のように組み立て直したとしても、本体の密封性が損なわれ前記通風孔からのエアーリークによって本来の機能を果たさず反復使用を防止することが可能となるという優れた効果を奏し得る。
【図面の簡単な説明】
【０００６】
【図１】吸引作業効率の回復を可能とした自家骨採取装置を示す図。
【図２】吸引作業効率の回復を可能とした自家骨採取装置分解図。
【図３】本体吸引ノズル側部と前記本体吸引ノズル側内面に設置された翼を基底部側から見た状態を示す図。
【図４】モーターの駆動力を利用し、吸引作業効率の回復を可能とした自家骨採取装置分解図。
【図５】本体をシュリンクフィルムでカバーした自家骨採取装置。
【符号の説明】
【０００７】
１．吸引ノズル側部  ２．フィルター  ３．基端側部  ４．翼  ５．網  ６．バキューム装置接合部  ７．吸引口  ８．吸引ノズル側部と翼の接合部  ９．フィルター回転防止のノッチ  １０．基端側フィルター回転防止スリット  １１．翼フィルター底面側
１２．翼側面フィルター接触部  １３．吸引口  １４、モーター  １５、モーター駆動軸  １６、モーター固定板  １７、吸引ノズル側部モーター固定板接合部  １８、吸引ノズル側フィルター回転防止スリット  １９、シュリンクフィルム  ２０、エアーリーク孔  
２１、採取骨収集空隙  ２３、回転部分
【発明を実施するための最良の形態】
【０００８】
以下、本発明の第一の発明の実施の形態を図示例と共に説明する。【０００９】
第１図は、発明を実施する形態の一例であって、図中、その他の図と同一の符号を付した部分は同一物を表わしており、基本的な構成は図に示す従来のものと同様であるが、本図示例の特徴とするところは、第１図に示すように吸引ノズル側部１に固定されたフィルター２の網５に適度な圧力で接する翼４を備えている点である。これらの構成部品は、図２に示すように吸引ノズル部１とその吸引ノズル部１に固定された翼４、フィルター２、と基端側部３とで構成されている。翼は図３に示すように、翼の上端と下端を形成する翼の接合部８から翼フィルター底面側１１の断面形状に従ってフィルター内面長軸方向に対し角度を持った螺旋形状してる。前記基底側部３とフィルター２は、端側フィルター回転防止スリット１０に勘合するフィルター回転防止のノッチ９によって回転が防止された状態で接合し、逆に吸引ノズル側部１はフィルター２と回転自在に接合されている。また、第二の発明は、第一の発明ではフィルターに対して回転自在に勘合していた吸引ノズル側部１を、フィルター回転防止のノッチ９と吸引ノズル側フィルター回転防止スリット１８、基端側フィルター回転防止スリット１０によって、吸引ノズル側部１、基端側部３およびフィルター２それぞれの部品の回転を防止した本体の吸引ノズル側部１に設置したモーター１４の駆動力を利用してフィルター内面に接触する第１の発明と同じような形態を持った翼を、スイッチ操作により常時あるいは随時回転させる機構を備えたことを特徴とする吸引効率を回復することを可能とした骨片採取装置である。
【実施例１】
【００１０】
本発明の第一の発明の実施例を、添付図面を参照して説明する。こうして、第１図のフィルター部分２に翼４を備える吸引効率の回復を可能とした自家骨採取装置の基端側部３をバキューム装置の先端に装着して、被移植側より骨片を採取する。補填必要量の骨片を採取中に、吸引した骨片がフィルター表面に堆積し吸引効率が低下した場合、片方の手でフィルターが回転防止装置と基端側フィルター回転防止スリット１０機構によって接合された基端部側３を保持し、反対の手で翼が内部に設置された吸引ノズル側部を回転させてやると、図３に示すような螺旋状に構成された翼４の翼側面フィルター接触部１４がフィルター内面に堆積した骨片をフィルター基底面に押しやりフィルターの目詰まりを解消する。
【実施例２】
【００１１】
次に、第二の発明の実施例は、図４の分解図に示すようにフィルター２を介してフィルター２と共に基端側３と基端側フィルター回転防止スリット１０による回転防止機構によって固定された吸引ノズル側内部に吸引ノズル側部モーター固定板接合部１７でモーター固定板１６によって固定したモーターを駆動させてやると、第１の発明と同様にフィルター表面に堆積した骨は掻き取られ、自動的にフィルター底面に集積される。手術中モーターの駆動は常時あるいは随時に行うことが可能であるので、作業の手を休めること無くフィルターの目詰まりを解消し吸引効率を回復することができる。
【実施例３】
【００１２】
このようにしてフィルターの目詰まりは解消されることになるが、さらに第３の発明によれば、図１、図３に示すようにフィルター２内壁に接するように設置した翼４を回転することによって集められた骨は翼４のフィルター内壁との接触角度によって一定方向に集められ、さらにフィルターと翼の間に設けられた採取骨収集空隙２１に堆積することになり自家骨採取後に骨の取り出しが非常に容易となる。
【実施例４】
【００１３】
また、図５に示すように第４の発明によれば、自家骨採取装置本体の側面にエアーリーク孔２０を設け、前記本体内のフィルター翼４回転部分２３を妨げることがないようにBの範囲をシュリンクフィルム１９でカバーしてある。これによって、フィルター２と本体はより完全に密封されるので、接合部分からのエアーリークがまったくなくなり吸引効力が向上するとともに、自家骨を採取した後にフィルター２を取り出す為にはシュリンクフィルム１９を破棄して本体を分解することになるので、一度フィルターを取り出して自家骨採取後に使用前のように本体を組み立て直したとしても、エアーリーク孔２０よりエアーが流入することになるので本体の密封性が損なわれ吸引機能を果たさず反復使用を防止することが可能となる
尚、本発明の各構成部品は、それぞれの接合部よりエアーリークすることがないことを条件に上述の図示例にのみ限定されるものではなく、材質と形状については、本発明の要旨を逸脱しない範囲内において種々変更を加えることは勿論であるが、採取した骨のフィルター内堆積状態を確認するため、又は翼によって採取骨が移動される状況を確認するためには、本体の材料は透明性の高い材質が好ましい。また、特に翼の形状については翼自体の前影投影面積の増大による抵抗によって吸引効率の低下を招かない限り羽根の数は図３のようにフィルター回転軸に対して両側に対称に２枚のものからさらにその枚数を増やし複数枚としても良く、同様にフィルター接触部との形状もフィルター回転軸に対して各動作を持たせるものであれば図３に示すような直線状に接するものに限らず直線上に湾曲したものなど上記した実施例に限定されるものではなく、本発明の要旨を逸脱しない範囲内において種々変更を加え得ることは勿論である。
【産業上の利用可能性】
【００１４】
本発明の吸引作業効率を高めた自家骨採取装置は、あらゆる自家骨移植手術において移植骨をフィルターによって採取するシステムを採用する機器に対して有用な技術である。すなわち、実際に移植骨を得るために非移植側に対しては、外科的な侵襲を最小限に食い止め、小さな範囲から最大量の移植骨を得るためには、可及的に細かい骨まで採取するために目の細かいフィルターを利用して採取骨体積を最大限に確保することが望まれる。しかしながら、目の細かいフィルターを使用した場合、採取操作の途中で細かい骨はすぐにフィルターの目詰まりを起こし吸引効率は著しく低下してしまう。このため手術中に頻繁にフィルターを交換するか、フィルター表面に堆積した骨を取り出すという作業を行うことが強いられる。本発明によれば、吸引作業中に本体を捻るように１８０度回転するだけでフィルター表面に堆積した骨を除去しフィルターの底面に集めることができるので限られた時間内で必要最大量の骨採取を効率よく行なうことができる。さらに、第一の発明では、短時間であっても吸引作業を中断することが強いられるが、第二の発明に示すようにモーターの駆動力を利用して翼を回転する機構をもつものでは、吸引作業中のどの場面でも作業を中断することなく常時あるいは随時に翼を回転させて採取骨をフィルター底部に集積することが可能となる。このため、指手の整形外科手術から股間接手術まで手術範囲の大小に限らずすべての自家骨採取を行う整形外科的手術に使用することができる有用な器具である。
【図１】
2006098293.tif 000002
【図２】
2006098293.tif 000003
【図３】
2006098293.tif 000004
【図４】
2006098293.tif 000005
【図５】
2006098293.tif 000006
【国際調査報告】
2006098293.tif 000007
2006098293.tif 000008
2006098293.tif 000009
2006098293.tif 000010